(57)【要約】  【課題】  竿部材への取着及び取外し操作を簡易にできるとともに、風によって被吊物が揺れる場合においても竿部材への取着位置を維持することができるようにする。  【解決手段】  竿部材Ａに外嵌される凹部１と、該凹部１と一体的に形成されており、つまみ操作によって前記凹部１を外方へ撓ませるための２つの離隔した摘み部２，２と、各摘み部２，２よりも前記凹部１の両端側に突設されており、被吊物が吊り下げられる２つの突起３，３とを備えた構成とし、各突起３，３の先端部にリンク部材４，４を介して挾み部材５，５を吊り下げ、挾み部材５，５に挾着される被吊物の荷重により凹部１の両端部を竿部材Ａに押し付けるようにした。【選択図】      図７
2005143758.tif 000002
【特許請求の範囲】
【請求項１】
竿部材に外嵌される凹部と、該凹部と一体的に形成されており、つまみ操作によって前記凹部を外方へ撓ませるための２つの摘み部と、各摘み部よりも前記凹部の両端側に突設されており、被吊物が吊り下げられる２つの突起とを備えていることを特徴とする吊り具。
【請求項２】
前記凹部、摘み部及び突起は一体に成形されている請求項１記載の吊り具。
【請求項３】
竿部材に外嵌され、丸く湾曲する湾曲凹部と、該湾曲凹部の凸面部と一体に成形されており、つまみ操作によって前記湾曲凹部を外方へ撓ませるための２つの摘み部と、前記湾曲凹部の両端部から両側方へ突設された杆状の突起と、各突起の先端部に吊り下げられた挾み部材とを備えていることを特徴とする吊り具。
【請求項４】
各挾み部材はリンク部材により吊り下げられている請求項３記載の吊り具。
【発明の詳細な説明】
【技術分野】
【０００１】
本発明は洗濯物等の被吊物を竿部材に吊すための吊り具に関する。
【背景技術】
【０００２】
洗濯物等を吊すための吊り具は竿部材に引掛けられるフックと、該フックに結合されたフレームと、該フレームに取着された複数の挾み部材とを備える構成になっている（例えば、特許文献１）。
【特許文献１】実開平７−３９７９６号公報
【発明の開示】
【発明が解決しようとする課題】
【０００３】
従来の吊り具はフックの湾曲凹部が竿部材に遊嵌合されるように形成されているため、竿部材への取着及び取外し操作は簡易に行えるが、洗濯物等の被吊物が吊り下げられた状態では被吊物が風によって揺れた場合にフック部が竿部材に沿って滑ることになり、竿部材への取着位置を維持することができなくなると言う問題があった。
【０００４】
本発明は斯かる事情に鑑みてなされたものであり、竿部材に外嵌される凹部と、つまみ操作によって前記凹部を外方へ撓ませるための摘み部と、各摘み部よりも前記凹部の両端側に突設された２つの突起とを備えた構成とすることにより、竿部材への取着及び取外し操作を簡易にできるとともに、風によって被吊物が揺れる場合においても竿部材への取着位置を維持することができる吊り具を提供することを目的とする。
【課題を解決するための手段】
【０００５】
第１発明に係る吊り具は、竿部材に外嵌される凹部と、該凹部と一体的に形成されており、つまみ操作によって前記凹部を外方へ撓ませるための２つの摘み部と、各摘み部よりも前記凹部の両端側に突設されており、被吊物が吊り下げられる２つの突起とを備えていることを特徴とする。
【０００６】
第１発明にあっては、２つの摘み部を摘むことにより凹部を外方へ撓ませることができるため、竿部材への取着及び取外し操作を簡易にでき、また、２つの突起に被吊物が吊り下げられることにより、被吊物の荷重が２つの突起から凹部の両端部に加わり、該凹部の両端部が竿部材に押付けられ、凹部の竿部材との接触抵抗を増大することができるため、風によって被吊物が揺れる場合においても凹部の竿部材に対する位置を維持することができ、吊り具の取着位置を維持することができる。
【０００７】
第２発明に係る吊り具は、第１発明において、前記凹部、摘み部及び突起は一体に成形されていることを特徴とする。
【０００８】
第２発明にあっては、凹部、摘み部及び突起が一体に成形されているため、凹部の厚さを比較的薄くすることができ、凹部の可撓性を高めることができる。従って、比較的軽い被吊物であっても凹部の両端部に押付力を発生させることができ、竿部材の適宜の取着位置に維持することができる。
【０００９】
第３発明に係る吊り具は、竿部材に外嵌され、丸く湾曲する湾曲凹部と、該湾曲凹部の凸面部と一体に成形されており、つまみ操作によって前記湾曲凹部を外方へ撓ませるための２つの摘み部と、前記湾曲凹部の両端部から両側方へ突設された杆状の突起と、各突起の先端部に吊り下げられた挾み部材とを備えていることを特徴とする。
【００１０】
第３発明にあっては、２つの摘み部を摘むことにより湾曲凹部を外方へ撓ませることができるため、竿部材への取着及び取外し操作を簡易にでき、また、２つの挾み部材に被吊物が吊り下げられることにより、被吊物の荷重が２つの突起から湾曲凹部の両端部に加わり、該湾曲凹部の両端部が竿部材に押付けられ、湾曲凹部の竿部材との接触抵抗を増大することができるため、風によって被吊物が揺れる場合においても湾曲凹部の竿部材に対する位置を維持することができ、吊り具の取着位置を維持することができる。また、各突起の先端部に吊り下げられた挾み部材により被吊物を挾着することができるため、被吊物の吊り下げ、取外しを簡易に行うことができる。
【００１１】
第４発明に係る吊り具は、第３発明において、各挾み部材はリンク部材により吊り下げられていることを特徴とする。
【００１２】
第４発明にあっては、各挾み部材を突起から離隔させることができるため、突起に邪魔されることなく挾み部材を摘み操作することができ、被吊物の吊り下げ、取外しをより一層簡易に行うことができる。
【発明の効果】
【００１３】
第１発明によれば、竿部材への取着及び取外し操作を簡易にでき、しかも、風によって被吊物が揺れる場合においても凹部の竿部材に対する位置を維持することができ、吊り具の取着位置を維持することができる。
【００１４】
第２発明によれば、比較的軽い被吊物であっても凹部の両端部に押付力を発生させることができ、竿部材の適宜の取着位置に維持することができる。
【００１５】
第３発明によれば、竿部材への取着及び取外し操作を簡易にでき、しかも、風によって被吊物が揺れる場合においても湾曲凹部の竿部材に対する位置を維持することができ、吊り具の取着位置を維持することができる。さらに、被吊物の吊り下げ、取外しを挾み部材により簡易に行うことができる。
【００１６】
第４発明によれば、突起に邪魔されることなく挾み部材を摘み操作することができ、被吊物の吊り下げ、取外しをより一層簡易に行うことができる。
【発明を実施するための最良の形態】
【００１７】
以下、本発明をその実施の形態を示す図面に基づいて詳述する。
図１は吊り具の構成を示す斜視図、図２は吊り具の構成を示す正面図、図３は吊り具の構成を示す平面図、図４は吊り具の構成を示す底面図、図５は吊り具の構成を示す側面図、図６は図２のVI−VI線の断面図である。
【００１８】
図に示した吊り具は竿部材に外嵌される略Ｃ字形の凹部（湾曲凹部）１と、該凹部１の凸面部と一体に成形されており、つまみ操作によって前記凹部１を外方へ撓ませるための２つの離隔した摘み部２，２と、前記凹部１の両端に突設された杆状の２つの突起３，３と、各突起３，３の先端部にリンク部材４，４を介して吊り下げられた挾み部材５，５とを備えている。
凹部１と、摘み部２，２及び突起３，３とは成形用型に溶融した合成樹脂材料を充填することにより一体に成形されている。
【００１９】
凹部１は半円以上に丸く湾曲しており、内方及び外方への撓みが可能になっている。
摘み部２，２は凹部１の両端から等距離離隔した位置に突設されており、該摘み部２，２を摘むことにより凹部１が外方へ撓み、両端が離隔するようになっている。
【００２０】
突起３，３は凹部１の両側方へ延出された杆部からなり、各突起３，３の先端部に貫通孔３ｂ，３ｂを有する係止部３ａ，３ａが一体に設けられており、この係止部３ａ，３ａに加わる荷重が杆部から凹部１に加わるようになっている。
【００２１】
リンク部材４，４は両端部に円形のフック４ａ，４ｂを有しており、一方のフック４ａ，４ａが突起３，３の貫通孔３ｂ，３ｂに係止されており、他方のフック４ｂ，４ｂに挾み部材５，５が吊り下げられている。
【００２２】
挾み部材５，５は途中に支点Ｏを有する２つの挾み体５ａ，５ａと、各挾み体５ａ，５ａの一端部が当接する方向へ各挾み体５ａ，５ａを付勢するリングバネ５ｂと、各挾み体５ａ，５ａの他端部に装架された紐部材５ｃとを有しており、他端部を摘むことにより支点Ｏを中心として各挾み体５ａ，５ａが回動し、一端部を離間させることができ、摘み操作を解除することによりリングバネ５ｂの復元力によって各挾み体５ａ，５ａが回動し、一端部が当接するように構成されている。
【００２３】
図７は使用状態を示す斜視図である。以上のように構成された吊り具は摘み部２，２を片手で摘むことにより凹部１が外方へ撓み、両端が離隔するため、該凹部１を竿部材Ａに容易に取着することができる。このように竿部材Ａに取着した状態で２つの挾み部材５，５に洗濯物等の被吊物を挾着して吊り下げることにより、被吊物の荷重が挾み部材５，５、リンク部材４，４及び突起３，３を介して凹部１の両端部に加わり、該凹部１の両端部が竿部材Ａに押し付けられる。この結果、凹部１の竿部材Ａとの接触抵抗を増大することができるため、風によって被吊物が揺れる場合においても凹部１の竿部材Ａに対する位置を維持することができ、吊り具の取着位置を維持することができる。また、吊り具を取外す場合は、摘み部２，２を片手で摘むことにより凹部１が外方へ撓むため、該凹部１の外嵌を容易に解除することができ、吊り具を簡易に取外すことができる。
【００２４】
また、以上のように構成された吊り具は竿部材Ａに取着した後で挾み部材５，５に被吊物を吊り下げる他、挾み部材５，５に被吊物を吊り下げた状態で凹部１を竿部材Ａに外嵌し、竿部材Ａに取着することもできる。
【００２５】
尚、以上説明した実施の形態の吊り具は突起３，３の先端部にリンク部材４，４を介して挾み部材５，５を吊り下げた構成としたが、その他、吊り具は突起３，３の先端部に挾み部材５，５を吊り下げた構成としてもよいし、また、突起３，３の先端部に係止部３ａ，３ａを設け、該係止部３ａ，３ａに挾み部材５，５等の吊り部材が係止される構成としてもよいし、また、突起３，３に被吊物が直接吊り下げられる構成としてもよいのであり、被吊物の吊り下げ構成は特に制限されない。
【００２６】
また、以上説明した実施の形態では凹部１の両端に突起３，３を設けた構成としたが、その他、突起３，３は摘み部２，２と凹部１の両端との間に突設された構成としてもよい。また、突起３，３は凹部１の外径寸法以上の長さに形成されているが、この突起３，３の長さは特に制限されない。また、突起３，３は凹部１と一体に成形された構成である他、凹部１と別個に形成された突起３，３を凹部１に一体的に結合した構成としてもよい。また、凹部１、摘み部２，２及び突起３，３が一体に成形された吊り具は合成樹脂製である他、例えば金属板製であってもよい。
【図面の簡単な説明】
【００２７】
【図１】本発明に係る吊り具の構成を示す斜視図である。
【図２】本発明に係る吊り具の構成を示す正面図である。
【図３】本発明に係る吊り具の構成を示す平面図である。
【図４】本発明に係る吊り具の構成を示す底面図である。
【図５】本発明に係る吊り具の構成を示す側面図である。
【図６】図２のVI−VI線の断面図である。
【図７】本発明に係る吊り具の使用状態を示す斜視図である。
【符号の説明】
【００２８】
１  凹部（湾曲凹部）
２  摘み部
３  突起
４  リンク部材
５  挾み部材
【図１】
2005143758.tif 000003
【図２】
2005143758.tif 000004
【図３】
2005143758.tif 000005
【図４】
2005143758.tif 000006
【図５】
2005143758.tif 000007
【図６】
2005143758.tif 000008
【図７】
2005143758.tif 000009